(57)【要約】【課題】  フィルター部材に備わっている多数の開口の大きさを大きくして通風性能を向上させることによりランプユニットなどの発熱源の過度の温度上昇を抑制する作用と、金属製の異物の筐体内への偶発的な侵入を遮蔽する作用との両方を改善する。【解決手段】  プロジェクタの筐体１の吸気側通風口２１と排気側通風口２５とに通風性を有するフィルター部材３，３を配備して異物の侵入を防止する。フィルター部材３，３を磁性体である金属製の多孔板３１，３５によって形成し、それらの多孔板３１，３５の端部の１箇所に永久磁石５，５を吸着させることによって多孔板３１，３５に磁性を付与する。【選択図】        図１
2006317849.tif 000002
【特許請求の範囲】
【請求項１】
筐体に設けられた通風口に通風性を有するフィルター部材が配備され、そのフィルター部材によって異物の侵入を阻止するように構成してある通風口を有する電気機器において、
当該電気機器が、箱形に形成された上記筐体に、ランプユニットとエンジンとパワーユニットとファンとを収容してなる可搬型のプロジェクタであり、
上記フィルター部材が、多数の孔を備えかつ端部の１箇所に永久磁石を吸着させることによって磁性が付与された金属製の多孔板でなると共に、その多孔板の上記孔の大きさを増大させることによってその多孔板の通風性を向上させてあり、上記通風口が、上記ファンの回転によって外気を筐体の内部に取り入れる吸気側通風口と、そのファンの回転によって筐体の内部の高温空気を外部へ排出する排気側通風口とに分かれていることを特徴とする通風口を有する電気機器。
【請求項２】
筐体に設けられた通風口に通風性を有するフィルター部材が配備され、そのフィルター部材によって異物の侵入を阻止するように構成してある通風口を有する電気機器において、上記フィルター部材に磁性を付与してあることを特徴とする通風口を有する電気機器。
【請求項３】
上記フィルター部材が多数の孔を備えた多孔板でなり、その多孔板に磁性を付与することに加えて、その多孔板の孔の大きさを増大させてある請求項１に記載した通風口を有する電気機器。
【請求項４】
上記多孔板に永久磁石を吸着させることによってその多孔板に磁性を付与してある請求項３に記載した通風口を有する電気機器。
【請求項５】
上記永久磁石が、上記多孔板の端部に吸着されている請求項４に記載した通風口を有する電気機器。
【請求項６】
上記筐体の内部に発熱部品とファンとが収容されていて、ファンの回転によって上記発熱部品の発熱を抑える冷却気流と上記通風口を流通する空気流とが形成されるようになっている請求項２ないし請求項５のいずれか１項に記載した通風口を有する電気機器。
【請求項７】
上記通風口が外気を筐体の内部に取り入れる吸気側通風口と、筐体の内部の高温空気を外部へ排出する排気側通風口とに分かれている請求項６に記載した通風口を有する電気機器。
【請求項８】
箱形の上記筐体の相対向する一対の壁部の一方に上記吸気側通風口が備わり、その他方に上記排気側通風口が備わっている請求項７に記載した通風口を有する電気機器。
【発明の詳細な説明】
【技術分野】
【０００１】
本発明は、通風口を有する電気機器、たとえば、プロジェクタのように、筐体の内部温度が過度に上昇してしまうことを防ぐために筐体の内部に通風口を経て外気を取り入れた後、筐体の内部の高温空気を別の通風口を経て外部へ排出するように構成されている通風口を有する電気機器に関する。
【背景技術】
【０００２】
プロジェクタ装置において、ファンを内蔵している筐体に冷却孔と排気孔とを具備させ、ファンの回転によって冷却孔から流入させた空気（吸気流）により筐体内の基板上の発熱体を冷却し、熱せられた空気（排気流）を排気孔から筐体の外部に排出することにより筐体内部の温度上昇を抑制することが従来より知られている（たとえば、特許文献１参照）。そして、この特許文献１には、排気孔の開口部を大きくすると、その排気口から異物や流動物が侵入に関する課題が発生するので、その課題を解決するために、排気孔から侵入した異物や流動物を傾斜板により案内して筐体壁面に集めた後、その壁面に設けた排出孔から外部へ排出することが記載されている。
【０００３】
また、メタルハイドライトランプ等のランプを備えたユニット形式の光源装置を有する投写型表示装置では、ランプが配置されている区画室の通気を確保してランプの熱負荷を低減するための対策や、ランプが破裂した場合にランプ破片が外部に飛散することを防ぐための対策についての研究も行われている（たとえば、特許文献２参照）。
【０００４】
さらに、液晶プロジェクタなどの投写型表示装置において、吸気ファンを回転させて光学ボックス内のリレーレンズに風を吹きつけることによりそのリレーレンズに塵芥が付着することを防止するという技術や、吸気ファンからの風との摩擦で帯電した帯電体の静電作用を利用して光学ボックス内に浮遊しているゴムを吸着させるという技術も提案されている（たとえば、特許文献３参照）。
【０００５】
ところで、筐体の内部温度が上昇しやすいプロジェクタなどの電気機器をコンパクトに構成して可搬型（携帯型）とする場合の有利な概略構成を図３に説明的に示してある。この電気機器では、筐体１に比較的大きな２つの通風口２を具備させて、その一方を吸気側通風口２１、その他方を排気側通風口２５として形成してあると共に、それらの各通風口２１，２５にフィルター部材３としての多孔板３１，３５を配備してある。そして、筐体１に内蔵したファン４の回転によって発生する吸引作用によって吸気側通気孔２５から外気を筐体１の内部に取り入れて筐体１に内蔵されている発熱源となるランプユニット１００やエンジン２００、パワーユニット３００などを冷却することによりそれらの過度の温度上昇を抑制するのに対し、冷却に使われた高温空気を排気側通風口２５から筐体１の外部へ排出するようにしている。
【０００６】
このような通風口２を有する電気機器にあっては、フィルター部材３としての多孔板３１，３５の通風性能を高めて十分な通風量を得ることがランプユニット１００などの発熱源の温度上昇を抑制する上で有益である。そして、多孔板３１，３５の通風性能を高めるためには、それらの多孔板３１，３５に備わっている多数の網目状の開口を大きくして全体の通風面積を増大させることが必要になる。しかし、多孔板３１，３５の多数の網目状の開口をいたずらに大きくして全体の通風面積を増大させると、フィルター部材３に要求される塵芥や異物を遮蔽する機能が損なわれる。特に、可搬型（携帯型）プロジェクタのようにカバンなどに入れて持ち歩くといった取り扱いがなされる電気機器では、電源が投入されているか否かにかかわらず、多孔板３１，３５の大きな網目状の開口を通してカバンなどに入っているホチキスの金属製綴じ針や紙綴じ用金属製クリップといった小さな異物が筐体１の内部に偶発的に入り込んで排出されなくなる可能性が大きくなる。そのため、その電気機器に電源を投入した後の使用中に、上記したランプユニット１００などの発熱源が発生する熱で筐体１の内部に入り込んだままになっている異物が熱せられ、可燃物である樹脂成形体でなる筐体１やその筐体１内の可燃物を発火させるという危険性が生じる。なお、携帯型機器の開口部については、網目の遮蔽板を取り付けてホチキスの針などの小さな金属物体が筐体内に入って発火の危険を生じることを回避するための対策を講じるべき安全規定もある。
【特許文献１】特開２００５−１０２３４号公報
【特許文献２】特開平１０−２５４０６１号公報
【特許文献３】特開２００３−１８６１１４号公報
【発明の開示】
【発明が解決しようとする課題】
【０００７】
上記したところから判るように、プロジェクタなどの通風口を有する電気機器では、塵芥や異物を遮蔽する機能を向上させるために通風口に配備されている多孔板２１，２２でなるフィルター部材２，２の多数の孔（開口）の大きさを小さくすると、それに見合って通風性能が低下し、ランプユニット１００などの発熱源の過度の温度上昇を抑制する作用が低下するのに対し、塵芥や異物を遮蔽する機能を向上させるために上記フィルター部材２，２の多数の開口の大きさを大きくすると、それに見合って通風性能が向上してランプユニット１００などの発熱源の過度の温度上昇を抑制する作用が高まるけれども、その反面で、塵芥や異物を遮蔽する機能が低下し、特に可搬型の電気機器では金属製の異物の筐体１内への偶発的な侵入によって可燃物を発火させるという危険性が高まる。
【０００８】
そこで、これらの二律背反する事項の両方を改善することが望まれるのであるけれども、上掲の特許文献１によって提案されている技術は、排気孔の開口部から筐体内に侵入した異物などを筐体内の１箇所に集めて排出するというものであるに過ぎず、特許文献２は、破裂したランプの破片が外部に飛散することを防ぐための対策を提案しているに過ぎないので、これらの技術をどのような適用しても上記した二律背反する事項の両方を改善することは不可能である。
【０００９】
また、特許文献３は、吸気ファンの回転によって発生する風と帯電体との摩擦によって帯電体に静電気を帯びさせて浮遊ゴミを吸着させるという技術を提案しているに過ぎないので、その技術をどのような適用したとしても、カバンなどに入れて持ち歩いている可搬型電気機器の通風口から金属性の異物がその筐体内に入るという事態を防ぐことはできず、また、電気機器の使用中に筐体内に入った金属製の異物が加熱されて発火の原因になるといった事態を防ぐこともできない。
【００１０】
本発明は以上の状況の下でなされたものであり、上記した二律背反する事項、すなわち、フィルター部材に備わっている多数の開口の大きさを大きくして通風性能を向上させることによりランプユニットなどの発熱源の過度の温度上昇を抑制する作用と、特に可搬型の電気機器に要求される金属製の異物の筐体内への偶発的な侵入を遮蔽する作用との両方を改善することによって、発熱源の過度の温度上昇を抑制する作用に優れ、しかも、筐体内に異物が偶発的に侵入することを防止する作用に優れている通風口を有する電気機器を提供することを目的とする。
【課題を解決するための手段】
【００１１】
本発明に係る通風口を有する電気機器は、筐体に設けられた通風口に通風性を有するフィルター部材が配備され、そのフィルター部材によって異物の侵入を阻止するように構成してある通風口を有する電気機器において、上記フィルター部材に磁性を付与してある、というものである。
【００１２】
この構成であれば、フィルター部材に付与されている磁性によって金属製の異物、たとえば上記したホチキスの綴じ針や紙綴じ用のクリップなどがフィルター部材に引き寄せられて吸着する。したがって、当該電気機器をカバンなどに入れて持ち歩くようなときに、カバンなどに入っている金属製の上記異物が、多数の開口を備えるフィルター部材の上記開口を通過してしまう前にそのフィルター部材に引き寄せられて吸着保持されるようになり、それらが筐体内に侵入してしまうという事態が未然に防止される。したがって、当該電気機器の使用中に筐体内に入ったままになっている金属製の異物が加熱されて発火の原因になるという事態か起こらなくなる。このような作用は、フィルター部材の開口を大きくしても発揮されるため、その開口を大きくして通風性能を向上させることも併せて可能になる。
【００１３】
本発明では、上記フィルター部材が多数の孔を備えた多孔板でなり、その多孔板に磁性を付与することに加えて、その多孔板の孔の大きさを増大させてある、という構成を採用することによって具体化され、この発明によると、フィルター部材としての多孔板が磁性を帯びているために、上記したところと同様に、筐体内への金属製の異物の侵入を防ぐ作用と通風性能を向上させる作用との両方が改善される。
【００１４】
本発明では、上記多孔板に永久磁石を吸着させることによってその多孔板に磁性を付与してあることが望ましい。これによると、多孔板を磁性体である安価な板金（たとえばメッシュ板や金網）で製作することが可能になるので、多孔板自体を板状の磁石で形成して磁性を付与するという場合に比べて必要コストを安く抑えることが可能になる。
【００１５】
本発明では、上記永久磁石が、上記多孔板の端部に吸着されていることが望ましい。これによれば、永久磁石が多孔板の通風に利用される開口を塞ぐという事態を回避することが可能になる。すなわち、多孔板の端部は、通常、筐体の通風口の口縁の外側に配備される（この点は後述する実施形態を参照して説明する）ので、永久磁石が多孔板の通風に利用される開口を塞ぐという事態を回避することができて、永久磁石が多孔板の通風性能を損なうという事態が起こらない。
【００１６】
本発明では、上記筐体の内部に発熱部品とファンとが収容されていて、ファンの回転によって上記発熱部品の発熱を抑える冷却気流と上記通風口を流通する空気流とが形成されるようになっている、という構成を採用することが可能である。この構成であれば、ファンの回転によって筐体の内部と外部との間で空気が強制的に流通するので、発熱部品の冷却効率が向上する。
【００１７】
本発明では、上記通風口が外気を筐体の内部に取り入れる吸気側通風口と、筐体の内部の高温空気を外部へ排出する排気側通風口とに分かれている、という構成を採用することができ、これによれば、筐体内の空気流が吸気側通風口側から排気側通風口側に向かうようになって冷却効率が向上する。
【００１８】
本発明では、箱形の上記筐体の相対向する一対の壁部の一方に上記吸気側通風口が備わり、その他方に上記排気側通風口が備わっていることが望ましい。これによれば、筐体の内部全体に外気が行き渡って冷却効率が向上する。
【００１９】
本発明に係る通風口を有する電気機器は、筐体に設けられた通風口に通風性を有するフィルター部材が配備され、そのフィルター部材によって異物の侵入を阻止するように構成してある通風口を有する電気機器において、当該電気機器が、箱形に形成された上記筐体に、ランプユニットとエンジンとパワーユニットとファンとを収容してなる可搬型のプロジェクタであり、上記フィルター部材が、多数の孔を備えかつ端部の１箇所に永久磁石を吸着させることによって磁性が付与された金属製の多孔板でなると共に、その多孔板の上記孔の大きさを増大させることによってその多孔板の通風性を向上させてあり、上記通風口が、上記ファンの回転によって外気を筐体の内部に取り入れる吸気側通風口と、そのファンの回転によって筐体の内部の高温空気を外部へ排出する排気側通風口とに分かれている、という構成であってもよい。これによれば、当該電気機器としてのプロジェクタをカバンなどに入れて持ち歩くときに、そのカバンなどに入っている金属製の綴じ針やクリップなどの異物が多孔板の開口を通過することなくその多孔板に吸着保持される。したがって、そのプロジェクタを使用するときにランプユニットなどの発熱源により異物が加熱されて発火の原因になるという事態の発生を防ぐことが可能になる。その他の構成は後述する実施形態を参照して詳細に説明する。
【発明の効果】
【００２０】
以上のように、本発明によれば、フィルター部材に備わっている多数の開口の大きさを大きくして通風性能を向上させることによりランプユニットなどの発熱源の過度の温度上昇を抑制する作用と、特に可搬型の電気機器に要求される金属製の異物の筐体内への偶発的な侵入を遮蔽する作用との両方が改善されるようになり、発熱源の過度の温度上昇を抑制する作用に優れ、しかも、筐体内に異物が偶発的に侵入することを防止する作用に優れている通風口を有する電気機器を提供することが可能になる。そのため、ユーザにとっては使用中に発火するという危険を伴うことなく安全に当該電気機器を使用することが可能になる。また、フィルター部材、具体的には多孔板に磁性を付与する手段として永久磁石を用いると、永久磁石を追加するという簡単な構成で当該電気機器の安全性が向上し、当該電気機器の量産性も高まるため、多孔板自体を磁石で形成する場合に比べてコスト的に安価に提供するという長所がある。
【発明を実施するための最良の形態】
【００２１】
図１は本発明に係る通風口を有する電気機器の実施形態を説明的に示した概略構成図、図２はフィルター部材３を例示した部分正面図である。
【００２２】
図１に示した電気機器はカバンなどに入れて持ち歩くという取り扱いが可能な可搬型（携帯型）のプロジェクタに相当しており、偏平な箱形の筐体１の内部に、発熱源となるランプユニット１００やエンジン２００、パワーユニット３００などのほか、空気流を生じさせるためのファン４が内蔵されている。このプロジェクタでは、図示してない投影口から投写された画像がその前方のスクリーンに映し出される。
【００２３】
このプロジェクタにおいて、ランプユニット１００は最も高温を発生する発熱源であり、エンジン２００やパワーユニット３００も相応の高温を発生する発熱源である。そして、これらの発熱源が過度に温度上昇すると、ランプユニット１００にランプ破裂などの障害が発生したりエンジン２００やパワーユニット３００にもある種の障害が発生したりする可能性が生じる。
【００２４】
そこで、筐体１に内蔵されているファン４，４の回転によって発生する空気流が筐体１の内部と外部との間で流通するようにその筐体１の相対向する一対の壁部１２，１３にそれぞれ比較的大きな通風口２，２を開口させ、一方側の通風口２を吸気側通風口２１として形成し、他方側の通風口２を排気側通風口２５として形成してある。こうしておくと、ファン４，４の回転に伴い、矢印Ａのように外気が吸気側通風口２１から筐体１内に取り入れられて上記した発熱源が冷却されることによりその発熱源の過度の温度上昇が抑制され、また、筐体１の内部で発生した高温空気流が矢印Ｂのように排気側通風口２５から筐体１の外部へ排出される。しかも、筐体１の内部全体に空気流が行き渡って発熱源の過度の温度上昇が効率よく抑制される。
【００２５】
上記した吸気側通風口２１や排気側通風口２５には、磁性体である金属製の多孔板３１，３５が配備されている。これらの多孔板３１，３５は多数の孔（開口）を有するフィルター部材３，３として塵芥や異物の侵入を阻止する機能を発揮するようになっている。また、これらの多孔板３１，３５は図１によって類推できるように、その端部が筐体１の吸気側通風口２１又は排気側通風口２５の口縁の外側で壁部１２，１３の内面に重なり状に取り付けられていて、そのような多孔板３１，３５の端部の１箇所に永久磁石５が，５を吸着させて多孔板３１，３５を磁化させてある。そのため、多孔板３１，３５には磁性が付与され、その多孔板３１，３５のＮ極からＳ極に向かう磁力線の束が上記各通風口２１，２５に形成されている。
【００２６】
このように、吸気側通風口２１や排気側通風口２５に配備されている多孔板３１，３５に磁性が付与されていると、それらの磁性により金属製の異物、たとえばホチキスの綴じ針や紙綴じ用のクリップなどが多孔板３１，３５に引き寄せられて吸着する。したがって、このプロジェクタをカバンなどに入れて持ち歩くようなときに、カバンなどに入っている金属製の上記異物が、たとえば吸気側通風口２１に配備されている上記多孔板３１の開口を通過してしまう前にその多孔板３１に引き寄せられて吸着保持される。同様に、排気側通風口２５に配備されている上記多孔板３５の開口を通過してしまう前にその多孔板３５に引き寄せられて吸着保持される。そのため、金属製の異物が筐体１内に侵入してしまうという事態が未然に防止されることになり、プロジェクタの使用中に筐体１内に入ったままになっている金属製の異物が加熱されて発火の原因になるという事態か起こらなくなる。そして、多孔板３１，３５の磁性による金属製の異物に対する吸着作用は、それらの多孔板３１，３５の開口を大きくしても発揮されるため、この実施形態ではその開口を大きくして通風性能も向上させてある。
【００２７】
この実施形態では、筐体１の壁部１２，１３の内面に重なり状に取り付けられていて通風性能の良否に影響を及ぼしていない多孔板３１，３５の端部に永久磁石５，５を吸着させてあることにより、その永久磁石５，５によって多孔板３１，３５の開口が塞がれているとしても、そのことが通風性能に悪影響を及ぼしていないという利点がある。また、永久磁石を多孔板３１，３５から引き離すことにより多孔板３１，３５の磁性を消失させることができるので、そのことを利用すると、多孔板３１，３５に吸着保持された金属製の異物を容易に取り除くことが可能である。
【００２８】
以上説明した実施形態では、多孔板３１，３５に磁性を付与する手段として、金属製の多孔板３１，３５に永久磁石５，５を吸着させておくという手段を採用したので、図３を参照して説明したプロジェクタに永久磁石５を追加してその多孔板３１，３５の開口の大きさを増大しておくという簡単な構成を採用するだけで、通風性能の向上に伴う発熱源の過度の温度上昇を防ぐ作用と、筐体１内に侵入した金属製の異物が加熱されて発火の原因になるという事態を防ぐ作用との両方を改善することができた。
【００２９】
図２には多孔板を形成するためのフィルター部材３の開口３９の形成パターンを例示している。図例のフィルター部材３では、略方形の網目状の開口３９が縦横に千鳥配列されており、それらの各開口３９の大きさを増大させることによって通風性能を向上させている。なお、フィルター部材の開口の形成パターンは図２のものに限定されず、たとえば開口が縦横に格子状に配列していてもよい。さらに、開口の形状は、円形であっても菱形であっても、スリット状の長孔であってもよい。
【図面の簡単な説明】
【００３０】
【図１】本発明に係る通風口を有する電気機器の実施形態を説明的に示した概略構成図である。
【図２】フィルター部材を例示した部分正面図である。
【図３】通風口を有する電気機器の基本構成を例示した概略構成図である。
【符号の説明】
【００３１】
１  筐体
２  通風口
３  フィルター部材
５  永久磁石
２１  吸気側通風口
２５  排気側通風口
３１，３５  多孔板
３９  多孔板の開口（孔）
【図１】
2006317849.tif 000003
【図２】
2006317849.tif 000004
【図３】
2006317849.tif 000005